(57)【要約】【課題】取出し用扉に設けた前面パネルを傷つけることなく、取出し用扉の開閉の際に生じる不快な金属音や衝撃音を緩和するとともに、衝撃による損傷を防止することができる郵便受け箱を提供する。【解決手段】投函物を取出すための取出口２が郵便受け箱本体１正面に形成され、前記取出口２を開閉する下開き式の取出し用扉４の前方に間隔を隔てて前面パネル５が接続固定されている郵便受け箱であって、取出口２の左右縁部２１ｂ，２１ａの少なくともいずれか一方の縁部２１ｂ，２１ａにダンパー６が配設され、取出し用扉４の開放に従い取出し用扉４の裏面下端部４１をダンパー６の緩衝軸６１と接触させ、このダンパー６の緩衝力で取出し用扉４の開放を緩やかにすることとする。【選択図】図１
2008264368.tif 000002
【特許請求の範囲】
【請求項１】
投函物を取出すための取出口が郵便受け箱本体正面に形成され、前記取出口を開閉する下開き式の取出し用扉の前方に間隔を隔てて前面パネルが接続固定されている郵便受け箱であって、取出口の左右縁部の少なくともいずれか一方の縁部にダンパーが配設され、取出し用扉の開放に従い取出し用扉の裏面下端部をダンパーの緩衝軸と接触させ、このダンパーの緩衝力で取出し用扉の開放を緩やかにすることを特徴とする郵便受け箱。
【請求項２】
下開き式の取出し用扉は、郵便受け箱本体にダンパー機構を有するヒンジを介して接続され、このダンパー機構を有するヒンジは、取出し用扉の閉方向に作動して取出し用扉の閉動作を緩やかにすることを特徴とする請求項１に記載の郵便受け箱。
【発明の詳細な説明】
【技術分野】
【０００１】
本発明は、郵便受け箱に関するものである。
【背景技術】
【０００２】
従来、正面上部に投函口を設けるとともに投函口下方の取出口に取出し用扉を設けた郵便受け箱が知られている。そして、中でも、投函物の取出しを容易とするために、取出口の下端を軸として取出し用扉が外方に向かって回動自在とされ、取出し用扉の回動によって取出口が開閉される下開き式の取出し用扉が知られている。しかしながら、このような郵便受け箱は、取出し用扉の開閉の際に生じる不快な金属音や衝撃音、さらにその衝撃による損傷等の問題があった。そこで、この問題を解決するために、本発明者は郵便受け箱本体にダンパーを設けるとともに、取出し用扉の裏面下端部に突出部を設けて、取出し用扉の開放に従いこの突出部をダンパーの緩衝軸と接触させて、このダンパーの緩衝力で取出し用扉の開放を緩やかにした郵便受け箱を提案している（例えば、特許文献１参照）。
【０００３】
ところで、郵便受け箱は玄関先に設置され人目にさらされるため、郵便受け箱としての投函物を収納するという機能はもちろんであるが、外観上、意匠性に富み、見映えのよい郵便受け箱が望まれてもいる。このような郵便受け箱としては、例えば、取出し用扉の前面を覆うように前面パネルを設け、そして前面パネルとして材質、形状、色等を適宜に選択し、さらに前面パネルに意匠を施すことで郵便受け箱の意匠性を向上させ見映えをよくするとともに、外部からの視認性を向上させることが考えられる。このように前面パネルを設けた取出し用扉は、一般的には従来の取出し用扉よりも重いものとなっているため、取出し用扉の開閉の際に生じる不快な金属音や衝撃音、さらにその衝撃による損傷等の問題はより深刻である。そこで、上記のようにダンパーを設けて取出し用扉の開放を緩やかにすることが考えられるが、この場合、取出し用扉に設けた前面パネルを傷つけないようにする必要がある。
【特許文献１】特開２００６−２９６８９０号公報
【発明の開示】
【発明が解決しようとする課題】
【０００４】
本発明は、以上の通りの背景から、取出し用扉に設けた前面パネルを傷つけることなく、取出し用扉の開閉の際に生じる不快な金属音や衝撃音を緩和するとともに、衝撃による損傷を防止することができる郵便受け箱を提供することを課題としている。
【課題を解決するための手段】
【０００５】
本発明は、上記の課題を解決するものとして以下のことを特徴とする。
【０００６】
第１には、投函物を取出すための取出口が郵便受け箱本体正面に形成され、前記取出口を開閉する下開き式の取出し用扉の前方に間隔を隔てて前面パネルが接続固定されている郵便受け箱であって、取出口の左右縁部の少なくともいずれか一方の縁部にダンパーが配設され、取出し用扉の開放に従い取出し用扉の裏面下端部をダンパーの緩衝軸と接触させ、このダンパーの緩衝力で取出し用扉の開放を緩やかにする。
【０００７】
第２には、上記第１の発明の郵便受け箱において、下開き式の取出し用扉は、郵便受け箱本体にダンパー機構を有するヒンジを介して接続され、このダンパー機構を有するヒンジは、取出し用扉の閉方向に作動して取出し用扉の閉動作を緩やかにする。
【発明の効果】
【０００８】
上記第１の発明によれば、前面パネルが取出し用扉の前方に間隔を隔てて接続固定され、取出口の左右縁部の少なくともいずれか一方の縁部にダンパーが配設され、取出し用扉の開放に従って取出し用扉の裏面下端部をダンパーの緩衝軸と接触させているため、前面パネルとダンパーの緩衝軸と接触することはない。したがって、ダンパーの緩衝軸との接触による傷、破損等は生じない。また、取出し用扉の裏面下端部とダンパーの緩衝軸との接触により、ダンパーの緩衝力で取出し用扉の開放が緩やかになるので、取出し用扉の開閉の際に生じる不快な金属音や衝撃音が緩和され、衝撃による損傷も防止することができる。
【０００９】
上記第２の発明によれば、閉方向に作動するダンパー機構を有するヒンジにより取出し用扉の閉動作を緩やかにすることができるため、取出し用扉が勢いよく閉まることがなくなる。したがって、取出し用扉が閉まる前に不注意で取出口に指先を置いていた場合でも取出し用扉の閉動作が緩やかであるため指先を挟んでしまうことがない。また、取出し用扉を閉じた際の不快な金属音や衝撃音もさらに緩和され、衝撃による損傷も一層効果的に防止することができる。
【発明を実施するための最良の形態】
【００１０】
本発明は上記のとおりの特徴をもつものであるが、以下に図面に沿ってその実施の形態について説明する。
【００１１】
図１は本発明の郵便受け箱の一実施形態の断面図であり、取出し用扉が閉じている状態を示し、図２は郵便受け箱の一実施形態の要部断面図であり、取出し用扉が開いている状態を示している。図３は郵便受け箱の全体斜視図であり、図４は郵便受け箱の要部断面斜視図である。
【００１２】
本発明の郵便受け箱は、正面に投函口３とその下方に取出口２を備えた郵便受け箱本体１を有している。投函口３は郵便受け箱本体１の正面の上部に長方形状で幅広に形成され、外部から郵便はがき、封筒、冊子などの投函物が投函される。投函口３下方の郵便受け箱本体１正面には一面にわたって開口した取出口２が形成され、この取出口２を塞ぐように開閉可能な取出し用扉４が設けられている。投函口３から投函された投函物は取出し用扉４を開けて郵便受け箱本体１の取出口２から取出すことができる。取出し用扉４は、外方に向かって回動自在とされ、取出し用扉４の回動によって取出口２が開閉される。また、取出し用扉４の裏面下端部４１には、後方に突出する突出片４２が取出し用扉４の幅方向の略全長にわたって形成されている。後述するが、取出し用扉４の開放に従い、取出し用扉４の裏面下端部４１またはそこに形成された突出片４２を、取出口２の左右縁部２１ｂ，２１ａの少なくともいずれか一方の縁部２１ｂ，２１ａに配設されたダンパー６の緩衝軸６１に確実に接触させるようにする。
【００１３】
取出し用扉４の前方には、取出し用扉４の前面を覆うように間隔を隔てて矩形で平板状の前面パネル５が接続固定されている。前面パネル５と取出し用扉４との間には円柱状の連結具５１が取出し用扉４前面の左右上下の位置の計４箇所に設けられ、この連結具５１の両端部をそれぞれ前面パネル５および取出し用扉４に設けた連結具用孔に挿し込み、ナット等の止具５２で固定することで前面パネル５を取出し用扉４に接続固定している。もちろん、これに限定されることなく、例えば、連結具５１の両端部に螺合部を形成し、ねじ、ボルト等の止具５２をそれぞれ前面パネル５の前面側および取出し用扉４の裏面側からねじ込み固定することで、前面パネル５を取出し用扉４に接続固定してもよい。前面パネル５は、アルミ板、木板、ＰＭＭＡ等の樹脂板等から形成され、郵便受け箱の意匠性を向上させ見映えをよくするとともに、外部からの視認性も向上させている。また、前面パネル５自体に意匠を施すことで、さらに外観上、意匠性に富んだ郵便受け箱とすることができる。
【００１４】
郵便受け箱本体１内部において、取出口２の左右縁部２１ｂ，２１ａの少なくともいずれか一方の縁部２１ｂ，２１ａに油圧式のダンパー６が配設されている。このダンパー６はその軸心部に緩衝軸６１が挿入され、この緩衝軸６１は上下方向に可動する。緩衝軸６１の可動時にはダンパー６内に封入されたオイルの抵抗を受ける。したがって、取出し用扉４を開けた際には、その開放に従い、取出し用扉４の裏面下端部４１またはそこに形成された突出片４２をダンパー６の緩衝軸６１に接触させて、緩衝軸６１を押し上げることが重要である。緩衝軸６１を押し上げることでダンパー６内に封入されたオイルの抵抗を受け、結果としてダンパー６の緩衝力を得、取出し用扉４の開放を緩やかにすることができる。以上のダンパー６はその緩衝軸６１を取出し用扉４の裏面下端部４１またはそこに形成された突出片４２に確実に接触させるために、正面方向に対して傾斜をもって配設される。そして、ダンパー６の配設は、郵便受け箱本体１の側面１３に設けられたダンパー保持部７に、例えば、ダンパー６に設けた係合爪をダンパー保持部７の係合爪受孔に挿し込んで係合させることで、配設することができる。
【００１５】
本発明における取出し用扉４は、ヒンジ８を介して郵便受け箱本体１に接続され回動自在に開閉される。郵便受け箱本体１の底面１１の前部には、断面略Ｌ字状の立ち上がり部１２が郵便受け箱本体１幅方向の全長にわたって形成され、この立ち上がり部１２の郵便受け箱本体１幅方向の略中央の位置にヒンジ８の一端が取り付け固定される。ヒンジ８の他端は、その位置に対応するように、取出し用扉４の幅方向の略中央、裏面下端部４１の上方の位置に取り付け固定される。立ち上がり部１２にはダンパー６と干渉しないように挿通孔１２１が形成されており、ダンパー６を郵便受け箱本体１内部に配設する際には、この挿通孔１２１を通して固定される。立ち上がり部１２は、取出し用扉４の開き角度の調整および取出し用扉４のストッパーとしての機能を有する。図２に示すように、取出し用扉４を開放した際、取出し用扉４の裏面下端部４１に形成された突出片４２をダンパー６と接触させた後、最終的にこの立ち上がり部１２で受けるようにする。したがって、取出し用扉４の開き角度の調整は立ち上がり部１２の角度を調整することによって実現できる。もちろん、取出し用扉４の裏面下端部４１に形成された突出片４２の突出の度合いを変えることによっても、取出し用扉４の開き角度を調整することができる。さらに、この立ち上がり部１２は、雨水はね除け用としての機能も有する。具体的には、取出し用扉４の開放に従い、取出し用扉４の裏面に落下した雨水をその裏面下端部４１で受け、そこからはね上がって郵便受け箱本体１内部に浸入するのを立ち上がり部１２で阻止し、これにより投函物が濡れることを防止している。
【００１６】
以上のような郵便受け箱は、前面パネル５が取出し用扉４の前方に間隔を隔てて接続固定され、取出口２の左右縁部２１ｂ，２１ａの少なくともいずれか一方の縁部２１ｂ，２１ａにダンパー６が配設され、取出し用扉４の開放に従って取出し用扉４の裏面下端部４１をダンパー６の緩衝軸６１に接触させているため、前面パネル５がダンパー６の緩衝軸６１に接触することはない。したがって、前面パネル５には、ダンパー６の緩衝軸６１との接触による傷、破損等は生じない。また、取出し用扉４の裏面下端部４１とダンパー６の緩衝軸６１との接触により、ダンパー６の緩衝力で取出し用扉４の開放が緩やかになるので、取出し用扉４の開閉の際に生じる不快な金属音や衝撃音が緩和され、衝撃による損傷も防止することができる。
【００１７】
また、本発明は、取出し用扉４と郵便受け箱本体１とを接続するヒンジ８に閉方向に作動するダンパー機構を有するようにしてもよい。このような閉方向に作動するダンパー機構を有するヒンジ８１は、いわゆるダンパーヒンジあるいはヒンジダンパーとも呼ばれ、ドア、門扉等向けとして市販されており、ドアの閉じ速度を制御可能にし、スムーズな開閉を実現している。本発明では、このような閉方向に作動するダンパー機構を有するヒンジ８１を用いることにより、取出し用扉４の閉動作が緩やかになるように閉じ速度を制御し、取出し用扉４が勢いよく閉まることを防止することができる。したがって、取出し用扉４が閉まる前に不注意で取出口２に指先を置いていた場合でも取出し用扉４の閉動作が緩やかに制御されるため指先を挟んでしまうことがない。また、取出し用扉４を閉じた際の不快な金属音や衝撃音もさらに緩和され、衝撃による損傷も一層効果的に防止することができる。
【図面の簡単な説明】
【００１８】
【図１】本発明の郵便受け箱の一実施形態の断面図であり、取出し用扉が閉じている状態を示している。
【図２】郵便受け箱の一実施形態の要部断面図であり、取出し用扉が開いている状態を示している。
【図３】郵便受け箱の全体斜視図である。
【図４】郵便受け箱の要部断面斜視図である。
【符号の説明】
【００１９】
１  郵便受け箱本体
２  取出口
２１ａ  右縁部
２１ｂ  左縁部
３  投函口
４  取出し用扉
４１  裏面下端部
５  前面パネル
６  ダンパー
６１  緩衝軸
８  ヒンジ
８１  ダンパー機構を有するヒンジ
【図１】
2008264368.tif 000003
【図２】
2008264368.tif 000004
【図３】
2008264368.tif 000005
【図４】
2008264368.tif 000006